【手続補正書】
【提出日】平成15年7月31日(2003.7.31)
【手続補正１】
【補正対象書類名】明細書
【補正対象項目名】特許請求の範囲
【補正方法】変更
【補正の内容】
【特許請求の範囲】
【請求項１】
制御情報の所定の項目について、該項目の値に応じて変更すべき項目とその値とを予めリンク情報として格納するリンク情報格納手段と、
前記制御情報の各項目の値を入力する入力手段と、
前記入力手段により制御情報が入力された場合、入力された項目の値に応じて前記リンク情報格納手段よりリンク情報を読み出す読出し手段と、
前記読出し手段により読出したリンク情報に基づいて、該リンク情報に含まれる項目および値に基づいて、該当する項目の値を設定する設定手段と、
前記入力手段または前記設定手段により設定された制御情報の最新の値を格納する最新値格納手段と
を備えることを特徴とする印刷制御装置。
【請求項２】
前記入力手段あるいは前記設定手段により設定された制御情報の各項目の値を表示する表示手段を更に備えることを特徴とする請求項１に記載の印刷制御装置。
【請求項３】
前記制御値として予め定めた所定の値を格納するデフォルト値格納手段と、当該印刷制御装置が起動された場合に、前記デフォルト値格納手段より格納された値を読み出して制御情報として設定することを特徴とする請求項１または２に記載の印刷制御装置。
【請求項４】
前記表示手段は、前記制御情報に含まれる各項目を所定の形式で表示し、前記入力手段は、表示された各項目に対して、所定の候補のうちから選択入力するメニュー方式であることを特徴とする請求項２に記載の印刷制御装置。
【請求項５】
前記設定手段は、前記リンク情報に含まれる各項目の値と、前記最新値格納手段により格納されている制御情報の対応する項目の値とを比較し、異なる項目について、前記リンク情報に含まれる値に基づいて更新することを特徴とする請求項１乃至４のいずれかに記載の印刷制御装置。
【請求項６】
前記設定手段は、前記リンク情報に応じて、ユーザに更新の判断をゆだねるか否か決定し、ゆだねない場合には前記リンク情報に含まれる値により対応する項目を更新し、ゆだねる場合には、ユーザに判断させるダイアログ画面を表示して、その入力に応じて更新することを特徴とする請求項５に記載の印刷制御装置。
【請求項７】
前記リンク情報は、前記入力手段あるいは設定手段により設定し得る設定項目と設定し得る設定値と設定し得ない設定項目と設定し得ない設定値とを含み、前記リンク情報格納手段は、設定し得る設定値を組み合わせてなる項目ごとに、設定し得ない項目および値をも含むリンク情報候補を格納することを特徴とする請求項１に記載の印刷制御装置。
【請求項８】
設定画面に表示される印刷のための第１の設定項目の設定値が第１の値から第２の値に変更された際、変更された第２の値とリンクして設定画面に表示される印刷のための第２の設定項目の第３の値を変更したほうがよい場合に、ユーザに変更するか否かを判断させる画面を表示し、ユーザの判断は変更である場合、設定画面に表示される印刷のための第２の設定項目の第３の値を第４の値に変更する変更手段と、
設定画面に表示される印刷のための第１の設定項目の設定値が第１の値から第２の値に変更された際、変更された第２の値とリンクして設定画面に表示される印刷のための第２の設定項目の第３の値を変更したほうがよい場合に、ユーザに変更するか否かを判断させる画面を表示することなく、設定画面に表示される印刷のための第２の設定項目の第３の値を第４の値に変更する変更手段とを有することを特徴とする情報処理装置。
【請求項９】
設定画面に表示される印刷のための第１の設定項目の設定値が第１の値から第２の値に変更された際、変更された第２の値とリンクして設定画面に表示される印刷のための第２の設定項目の第３の値を変更したほうがよいと判別される場合に、ユーザが判断すべきであるか否かを判断する第１判断手段と、
前記第１判断手段によりユーザが判断すべきであると判別された場合、ユーザに変更するか否かを判断させる画面を表示し、ユーザの判断は変更であるか否かを判断する第２判断手段と、
前記第２判断手段によりユーザの判断は変更であると判断された場合、および前記第１判断手段によりユーザが判断すべきでないと判断された場合、設定画面に表示される印刷のための第２の設定項目の第３の値を第４の値に変更する変更手段とを有することを特徴とする情報処理装置。
【請求項１０】
前記第２判断手段によりユーザの判断は変更でないと判断された場合、設定画面に表示される印刷のための第２の設定項目の第３の値を変更しないことを特徴とする請求項９記載の情報処理装置。
【請求項１１】
前記情報処理装置は、ホストコンピュータを含むことを特徴とする請求項８または９記載の情報処理装置。
【請求項１２】
前記印刷のための設定は、印刷装置の設定を含むことを特徴とする請求項８または９記載の情報処理装置。
【請求項１３】
前記第１の設定項目は、メディアを含み、前記第２の設定項目は給紙方法を含むことを特徴とする請求項８または９記載の情報処理装置。
【請求項１４】
第１の印刷設定情報と第２の印刷設定情報とを含むイメージを表示する表示手段と、
前記第１の印刷設定情報が変更されたとき第１の印刷設定項目に対応する第１の印刷設定と第２の印刷設定情報に対応する第２印刷設定との関係が正しいか否かを判定する判定手段と、
前記判定手段が正しくないと判定したとき、ユーザに確認することなく、第２の印刷設定と第２の印刷設定とが正しくなるように第２の印刷設定情報を変更し、前記表示手段に表示される第２の印刷設定情報を変更させる変更手段とを有することを特徴とする情報処理装置。
【請求項１５】
前記第１の印刷設定情報と第２の印刷設定情報とは媒体の種類と印刷品質とを含むことを特徴とする請求項１４記載の情報処理装置。
【請求項１６】
前記第１の印刷設定情報と第２の印刷設定情報は記録媒体と紙送り方法とを含むことを特徴とする請求項１４記載の情報処理装置。
【請求項１７】
制御情報の所定の項目について、該項目の値に応じて変更すべき項目とその値とを予めリンク情報として格納するリンク情報格納手段を利用する印刷制御方法であって、
前記制御情報の各項目の値を入力する入力ステップと、
前記入力ステップにより制御情報が入力された場合、入力された項目の値に応じて前記リンク情報格納ステップよりリンク情報を読み出す読出しステップと、
前記読出しステップにより読出したリンク情報に基づいて、該リンク情報に含まれる項目および値に基づいて、該当する項目の値を設定する設定ステップと、
前記入力ステップまたは前記設定ステップにより設定された制御情報の最新の値を格納する最新値格納ステップと
を備えることを特徴とする印刷制御方法。
【請求項１８】
前記入力ステップあるいは前記設定ステップにより設定された制御情報の各項目の値を表示する表示ステップを更に備えることを特徴とする請求項１７に記載の印刷制御方法。
【請求項１９】
前記制御値として予め定めた所定の値を格納するデフォルト値格納ステップと、当該印刷制御装置が起動された場合に、前記デフォルト値格納ステップより格納された値を読み出して制御情報として設定することを特徴とする請求項１７または１８に記載の印刷制御方法。
【請求項２０】
前記表示ステップは、前記制御情報に含まれる各項目を所定の形式で表示し、前記入力ステップは、表示された各項目に対して、所定の候補のうちから選択入力するメニュー方式であることを特徴とする請求項１８に記載の印刷制御方法。
【請求項２１】
前記設定ステップは、前記リンク情報に含まれる各項目の値と、前記最新値格納ステップにより格納されている制御情報の対応する項目の値とを比較し、異なる項目について、前記リンク情報に含まれる値に基づいて更新することを特徴とする請求項１７乃至２０のいずれかに記載の印刷制御方法。
【請求項２２】
前記設定ステップは、前記リンク情報に応じて、ユーザに更新の判断をゆだねるか否か決定し、ゆだねない場合には前記リンク情報に含まれる値により対応する項目を更新し、ゆだねる場合には、ユーザに判断させるダイアログ画面を表示して、その入力に応じて更新することを特徴とする請求項２１に記載の印刷制御方法。
【請求項２３】
前記リンク情報は、前記入力ステップあるいは設定ステップにより設定し得る設定項目と設定し得る設定値と設定し得ない設定項目と設定し得ない設定値とを含み、前記リンク情報格納手段は、設定し得る設定値を組み合わせてなる項目ごとに、設定し得ない項目および値をも含むリンク情報候補を格納することを特徴とする請求項１７に記載の印刷制御方法。
【請求項２４】
設定画面に表示される印刷のための第１の設定項目の設定値が第１の値から第２の値に変更された際、変更された第２の値とリンクして設定画面に表示される印刷のための第２の設定項目の第３の値を変更したほうがよい場合に、ユーザに変更するか否かを判断させる画面を表示し、ユーザの判断は変更である場合、設定画面に表示される印刷のための第２の設定項目の第３の値を第４の値に変更する変更ステップと、
設定画面に表示される印刷のための第１の設定項目の設定値が第１の値から第２の値に変更された際、変更された第２の値とリンクして設定画面に表示される印刷のための第２の設定項目の第３の値を変更したほうがよい場合に、ユーザに変更するか否かを判断させる画面を表示することなく、設定画面に表示される印刷のための第２の設定項目の第３の値を第４の値に変更する変更ステップとを有することを特徴とするプリンタドライバにおける設定方法。
【請求項２５】
設定画面に表示される印刷のための第１の設定項目の設定値が第１の値から第２の値に変更された際、変更された第２の値とリンクして設定画面に表示される印刷のための第２の設定項目の第３の値を変更したほうがよいと判別される場合に、ユーザが判断すべきであるか否かを判断する第１判断ステップと、
前記第１判断ステップによりユーザが判断すべきであると判別された場合、ユーザに変更するか否かを判断させる画面を表示し、ユーザの判断は変更であるか否かを判断する第２判断ステップと、
前記第２判断ステップによりユーザの判断は変更であると判断された場合、および前記第１判断ステップによりユーザが判断すべきでないと判断された場合、設定画面に表示される印刷のための第２の設定項目の第３の値を第４の値に変更する変更ステップとを有することを特徴とするプリンタドライバにおける設定方法。
【請求項２６】
前記第２判断ステップによりユーザの判断は変更でないと判断された場合、設定画面に表示される印刷のための第２の設定項目の第３の値を変更しないことを特徴とする請求項２５記載のプリンタドライバにおける設定方法。
【請求項２７】
前記情報処理装置は、ホストコンピュータを含むことを特徴とする請求項２４または２５記載のプリンタドライバにおける設定方法。
【請求項２８】
前記印刷のための設定は印刷装置の設定を含むことを特徴とする請求項２４または２５記載のプリンタドライバにおける設定方法。
【請求項２９】
前記第１の設定項目はメディアを含み、前記第２の設定項目は給紙方法を含むことを特徴とする請求項２４または２５記載のプリンタドライバにおける設定方法。
【請求項３０】
第１の印刷設定情報と第２の印刷設定情報とを含むイメージを表示する表示ステップと、
前記第１の印刷設定情報が変更されたとき第１の印刷設定項目に対応する第１印刷設定と第２印刷設定情報に対応する第２印刷設定との関係が正しいか否かを判定する判定ステップと、
前記判定ステップが正しくないと判定したとき、ユーザに確認することなく、第１の印刷設定と第２の印刷設定とが正しくなるように第２の印刷設定情報を変更し、前記表示ステップに表示される第２の印刷設定情報を変更させる変更ステップとを有することを特徴とするプリンタドライバにおける設定方法。
【請求項３１】
前記第１の印刷設定情報と第２の印刷設定情報とは媒体の種類と印刷品質とを含むことを特徴とする請求項３０記載のプリンタドライバにおける設定方法。
【請求項３２】
前記第１印刷設定情報と第２印刷設定情報は記録媒体と紙送り方法とを含むことを特徴とする請求項３０記載のプリンタドライバにおける設定方法。
【手続補正２】
【補正対象書類名】明細書
【補正対象項目名】００１３
【補正方法】変更
【補正の内容】
【００１３】
【課題を解決するための手段】
本発明の印刷制御装置はつぎのような構成からなる。すなわち、制御情報の所定の項目について、該項目の値に応じて変更すべき項目とその値とを予めリンク情報として格納するリンク情報格納手段と、前記制御情報の各項目の値を入力する入力手段と、前記入力手段により制御情報が入力された場合、入力された項目の値に応じて前記リンク情報格納手段よりリンク情報を読み出す読出し手段と、前記読出し手段により読出したリンク情報に基づいて、該リンク情報に含まれる項目および値に基づいて、該当する項目の値を設定する設定手段と、前記入力手段または前記設定手段により設定された制御情報の最新の値を格納する最新値格納手段とを備える。
好ましくは、前記入力手段あるいは前記設定手段により設定された制御情報の各項目の値を表示する表示手段を更に備える。
好ましくは、前記制御値として予め定めた所定の値を格納するデフォルト値格納手段と、当該印刷制御装置が起動された場合に、前記デフォルト値格納手段より格納された値を読み出して制御情報として設定する。
好ましくは、前記表示手段は、前記制御情報に含まれる各項目を所定の形式で表示し、前記入力手段は、表示された各項目に対して、所定の候補のうちから選択入力するメニュー方式である。
好ましくは、前記設定手段は、前記リンク情報に含まれる各項目の値と、前記最新値格納手段により格納されている制御情報の対応する項目の値とを比較し、異なる項目について、前記リンク情報に含まれる値に基づいて更新する。
好ましくは、前記設定手段は、前記リンク情報に応じて、ユーザに更新の判断をゆだねるか否か決定し、ゆだねない場合には前記リンク情報に含まれる値により対応する項目を更新し、ゆだねる場合には、ユーザに判断させるダイアログ画面を表示して、その入力に応じて更新する。
好ましくは、前記リンク情報は、前記入力手段あるいは設定手段により設定し得る設定項目と設定し得る設定値と設定し得ない設定項目と設定し得ない設定値とを含み、前記リンク情報格納手段は、設定し得る設定値を組み合わせてなる項目ごとに、設定し得ない項目および値をも含むリンク情報候補を格納する。


【手続補正３】
【補正対象書類名】明細書
【補正対象項目名】００１４
【補正方法】変更
【補正の内容】
【００１４】
あるいは、設定画面に表示される印刷のための第１の設定項目の設定値が第１の値から第２の値に変更された際、変更された第２の値とリンクして設定画面に表示される印刷のための第２の設定項目の第３の値を変更したほうがよい場合に、ユーザに変更するか否かを判断させる画面を表示し、ユーザの判断は変更である場合、設定画面に表示される印刷のための第２の設定項目の第３の値を第４の値に変更する変更手段と、設定画面に表示される印刷のための第１の設定項目の設定値が第１の値から第２の値に変更された際、変更された第２の値とリンクして設定画面に表示される印刷のための第２の設定項目の第３の値を変更したほうがよい場合に、ユーザに変更するか否かを判断させる画面を表示することなく、設定画面に表示される印刷のための第２の設定項目の第３の値を第４の値に変更する変更手段とを有する。


【手続補正４】
【補正対象書類名】明細書
【補正対象項目名】００１５
【補正方法】変更
【補正の内容】
【００１５】
あるいは、設定画面に表示される印刷のための第１の設定項目の設定値が第１の値から第２の値に変更された際、変更された第２の値とリンクして設定画面に表示される印刷のための第２の設定項目の第３の値を変更したほうがよいと判別される場合に、ユーザが判断すべきであるか否かを判断する第１判断手段と、前記第１判断手段によりユーザが判断すべきであると判別された場合、ユーザに変更するか否かを判断させる画面を表示し、ユーザの判断は変更であるか否かを判断する第２判断手段と、前記第２判断手段によりユーザの判断は変更であると判断された場合、および前記第１判断手段によりユーザが判断すべきでないと判断された場合、設定画面に表示される印刷のための第２の設定項目の第３の値を第４の値に変更する変更手段とを有する。
好ましくは、前記第２判断手段によりユーザの判断は変更でないと判断された場合、設定画面に表示される印刷のための第２の設定項目の第３の値を変更しない。
好ましくは、前記情報処理装置は、ホストコンピュータを含む。
好ましくは、前記印刷のための設定は、印刷装置の設定を含む。
好ましくは、前記第１の設定項目は、メディアを含み、前記第２の設定項目は給紙方法を含む。


【手続補正５】
【補正対象書類名】明細書
【補正対象項目名】００１６
【補正方法】変更
【補正の内容】
【００１６】
あるいは、第１の印刷設定情報と第２の印刷設定情報とを含むイメージを表示する表示手段と、前記第１の印刷設定情報が変更されたとき第１の印刷設定項目に対応する第１の印刷設定と第２の印刷設定情報に対応する第２印刷設定との関係が正しいか否かを判定する判定手段と、前記判定手段が正しくないと判定したとき、ユーザに確認することなく、第２の印刷設定と第２の印刷設定とが正しくなるように第２の印刷設定情報を変更し、前記表示手段に表示される第２の印刷設定情報を変更させる変更手段とを有する。
好ましくは、前記第１の印刷設定情報と第２の印刷設定情報とは媒体の種類と印刷品質とを含む。
好ましくは、前記第１の印刷設定情報と第２の印刷設定情報は記録媒体と紙送り方法とを含む。


【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】